(57)【要約】【課題】従来のカレンダーは、暦の性質上毎年365日の各日付の曜日が変わるため、毎年製作され、これは資源の浪費でもある。【解決手段】この浪費を抑えるため、366個の立方体の日付駒を月別にかつ日付順に仕分けした12本の日駒柱を、１月から12月まで表示した水平な月棒に月順に吊るし、その月棒に取り付けた曜日表示の曜日棒一本または二本を基準に各日駒柱の曜日を調整し、さらにこの月棒中央上面に年駒を配置し、年数を表示し、前記日駒の平行四面の三面を日曜の赤、土曜の青、他の曜日の黒で色分し、残り一面に個人の特異日を表示でき、一年366日を表示する永久に使える組み立て万年カレンダーであり、また水平の曜日棒の下に縦に四個日ないし五個日の曜日駒柱四個と三個または八個と六個を吊るし、その曜日棒の上に年駒と月駒を配置した一月（ひとつき）および二月（ふたつき）万年カレンダー。【選択図】図1
2015074170.tif 000002
【特許請求の範囲】
【請求項１】
日付数字を三面に三色分けで表示した略立方体の日駒366個の各月相当数を末日から一日まで下から順次通し材で積み立てた十二本の日駒柱と、1月から12月まで表示した月棒と、日曜から月曜までの37日分を三色分け表示した一または二本の曜日棒と、前記月棒に付帯する年数表示の略立方体の年駒複数個で構成することを特徴とする組み立て万年カレンダー。
【請求項２】
面に垂直な対称軸となる貫通孔に平行な三面に色分けした日付数字を表示した略立方体の日駒に、月ごとに日付順に前記貫通孔に通し材を通し十二本の日駒柱とし、四角柱の一側面に曜日を表示して曜日棒とし、十二の月を表示しかつ二本の対称軸貫通孔があり１から５までと６から０までの数字を五面に表示した略立方体の各二個の年駒を上面に直列配置した月棒の中間部に前記日駒柱を吊るす、両端部に前記曜日棒を吊るすことを特徴とする請求項1に記載の万年カレンダー。
【請求項３】
月棒の中央に開けた貫通孔に吊り紐を通し曜日棒一本を吊るし、月棒の一側面の中央部にスペースをとり左右対称的に左側部分に１月から６月まで、右側部分に７月から12月まで表示し、上面の各月位置の切欠きに十二本の前記日駒柱が吊られることを特徴とする請求項1に記載の曜日棒中央吊りの万年カレンダー。
【請求項４】
剛性のある細棒材による12本の日駒柱と左右両端の曜日棒を上下の月棒の間に固定接合し、上の月棒に四個の年駒を配置したことを特徴とする請求項1に記載の外枠型万年カレンダー。
【請求項５】
下面中央に一本の前記曜日棒の上端面が配置された月棒の左側部分に１月から６月まで、右側部分に７月から12月まで表示した各月に対応して前記日駒柱が吊るされ、前記曜日棒の延長相当部分である８個の年駒を、全年駒の高さ程度の長さで月棒固定の細い年駒軸を介して、月棒上面中央に積み立てることを特徴とする請求項1に記載の曜日棒中央接合万年カレンダー。
【請求項６】
12本の日駒柱の日駒数をすべて31個にしまたは1本のみ29個にし、前記日駒柱を色別けしたことを特徴とする請求項1に記載の、外枠型を除く万年カレンダー。
【請求項７】
側面に七曜日を表示した曜日棒に前記同様の日駒を四個ないし五個を縦に紐または細棒に通した曜日駒柱七個を、前記曜日棒の下に配置した七個の掛け具に吊るし、その曜日棒の上面に複数個の年駒と複数個の月駒を配置したことを特徴とする一月万年カレンダー。
【請求項８】
前記一月万年カレンダーの曜日棒の略二倍の長さの曜日棒の側面に二組の七曜日を表示し、下面の十四個の掛け具に前記同様の曜日駒柱十四個を吊るし、上面の中央部に複数個の年駒と両端部に各複数個の月駒を配置した配置したことを特徴とする二月万年カレンダー。
【発明の詳細な説明】
【技術分野】
【０００１】
本発明は、原理上永久に使える組み立て万年カレンダーである。
【背景技術】
【０００２】
大方のカレンダーは毎年紙に印刷され、消尽されている。
【発明の概要】
【発明が解決しようとする課題】
【０００３】
各月の日付とその曜日が毎年変わるので、年毎に新たに作られており、これは資源の浪費でもある。この弊害を抑制すべく、色分けした366の日付とその曜日の調整と私的な特異日の表示の可能な、及び月末または月初めに翌月の日数の曜日を調整する永久使用カレンダーを提供する。
【課題を解決するための手段】
【０００４】
本発明の万年カレンダーは、日付数字を三面に三色分けで表示した略立方体の日駒366個の各月相当数を末日から一日まで下から順次通し材の紐で積み立てた十二本の日駒柱と、1月から12月まで表示した月棒と、日曜から月曜までの37日分を表示した一または二本の曜日棒と、前記月棒に付帯する年数表示の年駒偶数個と、掛け紐とで構成する万年カレンダーである。
【０００５】
本発明の曜日棒中央接合のカレンダーは、下面中央に一本の前記曜日棒の上端面が接合された月棒の左側部分に１月から６月まで、右側部分に７月から12月まで表示した各月対応の上面の切欠きに前記日駒柱が吊るされ、前記曜日棒の延長相当部分である八個の年駒を、全年駒の高さ程度の長さの年駒軸を介して、月棒上面中央に積み立てた永年使える万年カレンダーである。
【０００６】
本発明の一月（ひとつき）万年カレンダーは、側面に七曜日を表示した曜日棒に前記同様の日駒を四個ないし五個を縦に紐または細棒に通した日駒柱七個を、前記曜日棒の下に配置した七個の掛け具に吊るし、その曜日棒の上面に四個の年駒と三個の月駒を配置したカレンダーであり、およびこのカレンダーの曜日棒を横方向に略二倍に延長し日駒柱十四個を吊るし、中央に四個の年駒と両端部に各三個の月駒を配置した二月（ふたつき）万年カレンダーである。
【発明の効果】
【０００７】
本発明の万年カレンダーは366の日駒からなり日付とその曜日の調整および４または８個の年駒の調整により、二桁又は四桁の年数を表示し、かつ例えば略15ミリの立方体の日駒の平行四面の三面を日曜は赤、土曜は青、他の曜日は黒で色分けし、残り一面を個人の特異日として表示可能であり年単位で永年使えるのである。また、一月（ひとつき）カレンダーは、万年カレンダーと同じ原理で月単位で永年使えるのである。
【発明を実施するための最良の形態】
【０００８】
本発明の万年カレンダーを図1に基づいて説明する。このカレンダー１Aは、29、30または31個の日駒２からなる12本の日駒柱３と12の月を横並びで表示した月棒４と曜日を縦に日曜から月曜までを7週余を表示した曜日棒５と年数表示の年駒６とを主要部品とするカレンダーであり、これら主要部品の詳細は以下に記す通りであり、
【０００９】
略立方体の前記日駒２は、対面双方の中心を通る対称軸の貫通孔に平行な四面のうち三面に月の各日数字を例えば赤、青、黒の三色に表示し、一面は素面である合計366個であり、前記日駒柱３は、上端が吊り輪3bをなし下端に駒留めの結びこぶのある通し紐３a、または上端に吊し輪が付き下端に駒留めのある細棒材を通して、29、30又は31個を積み立てた十二本の四角柱状であり、各日駒を紐または細棒材を中心に回動でき、また一本の四角棒の前記月棒４は、その長手の片側面に1月から12月まで表示し、上面の各月位置に切欠きがあり、かつ長手上面の中央部に年駒保持棒4個（図示せず）を長手方向に所定間隔で固定してあり、これらに前記年駒６を差し込み配置するものであり、
【００１０】
二本の前記曜日棒５は、上端に紐輪５aがある四角柱であり、その一面に上から下へ日曜から土曜までの七週間分と日曜と月曜の合計37日分を表示したものであり、日曜と土曜と他の曜日は赤、青、黒の色分け表示されており、また四個の年駒６は略立方体でその各二個の五面に数字1から5又は６から0が表示され、他の一面は素面であり、二組の対面間に前記年駒保持棒の通る各貫通孔があり、その一本が数字１から４又は６から９を表示した各面に平行、他の一本が数字５又は0の面と素面間の貫通孔であり、また数字1から5と６から0が表示された二つ一組の年駒の保持棒周りの９０度回動と差し替えにより年数00から99を表示し、
【００１１】
月毎の各日数字を表示した日駒２が末日から一日まで通し材の紐で積み立てられた前記日駒柱３が、1月から12月まで表示した月棒４の中間部の各相当箇所に前記吊り輪3bを介して吊られ、かつ両端部に曜日棒５も吊り紐５aを介して吊られ、一年間の日付曜日のカレンダー表示面を形成し、各月の日曜と土曜と他の曜日は赤、青、黒字の横並にして永年使える組立て式縦長の万年カレンダー１Aである。
なお、月棒４の月表示面から裏面への１６個の貫通孔を設けてよく、これらの孔は日駒柱と曜日棒の紐を通しまた掛け紐を通すためである。
【００１２】
カレンダー１Aは曜日棒が左右二本であるが、前記月棒４の中央に開けた貫通孔に前記吊り紐５aを通し曜日棒一本を吊るし、月棒の一側面の中央部にスペースをとり左右対称的に左側部分に１月から６月まで、右側部分に７月から12月まで表示し、上面の各月位置の切欠きに前記日駒柱３が吊られる曜日棒中央吊りの万年カレンダー１B（図省略）もよい。
【００１３】
また、カレンダー１Aを改造して、通し紐３aを剛性のある細棒材に代えた12本の日駒柱と左右両辺の曜日棒を、上辺の月棒と新たな下辺の月棒の間に着脱可能にもくネジ接合した外枠形万年カレンダー１C（図省略）もよい。なお、このカレンダーは字の方向を変え横長の外枠型カレンダーもよい。  
【００１４】
前記中央吊りの万年カレンダー１Bと略同様の部品で構成する曜日棒中央接合カレンダー１D（図２）は、前記月棒４が、その下面中央に一本の前記曜日棒の上端面が接着または着脱可能に接合され、中央吊り千年カレンダー１Bと同様に十二本の前記日駒柱３が吊るされ、さらに、八個の年駒の高さ程度の長さで月棒上面中央に差込み固定した年駒軸（図示せず）に八個の前記同様の年駒６が積み立てられ、前記曜日棒５の延長相当部分になる八個の積立て年駒６の年駒軸周りの回動とその軸から抜いた年駒の置き換えにより、0000から9999の年数を縦に表示する曜日棒中央配置の千年カレンダーである。
このカレンダーから日駒柱をすべて外すと十字架状となり、十字架部分を日駒柱と異なる色にしてもよく、このカレンダーは12本の日駒柱を掛けた精神性を感じられる
永遠のカレンダーでもある。なお前記固定年駒軸の代わりに上端部が引っ掛け部、下端部がネジ部の年駒軸が、複数の年駒の各貫通孔を上から貫通し月棒に達しネジ接合することもよい。
【００１５】
また、延長した左右の曜日棒の間に12本の日駒柱を掛ける月棒を挟み、それら延長曜日棒の上端に月棒より長い天棒を左右対称に着脱可能に組み立て、掛け紐を天棒に掛ける鳥居形の万年カレンダー１E（図省略）もよく、前記同様の色彩処理をしてよく、これも精神性を感じられる永遠のカレンダーである。
【００１６】
これらのカレンダーは大晦日に、翌年の各月の日駒棒の一日の曜日を曜日棒の第一週の同じ曜日に上下にずらして合せ、例えばクリップや洗濯バサミ様の下端留め具９を月末日の下に挟み順次366日の曜日を決定する。こうして同じ曜日が水平に並ぶこととなり、各日駒を回し日曜は赤、土曜は青、その他は黒に合わせ祝日も赤とし、通常年の二月の日駒柱は28日駒の下に前記下端留め具９を通し紐３aに挟み、29日駒を紐の下端に置き、閏年の29日駒は28日駒に接触させ、下端留めをその下に挟み閏年の表示とする。
そして、年末に翌年の1、2月のカレンダーが必要ならば、1月の日駒棒の一日を、12月末日の次の曜日に曜日棒の第一週で合わせればよく、2月も1月と同様に行う。また、当月を示すため、日駒通し紐の上端の輪に下端留め具を挟む。なお、全日駒と通し紐の摩擦強度を調整し各日駒の滑落を抑止し、または月末駒や二月の28と 29日駒の摩擦強度を大きくして前記下端留め具を不要とするのもよい。
【００１７】
なお、日駒の素面は、誕生日や記念日などの個人の特異日を表示をしてよく、また月棒に日駒柱や曜日棒を紐により直接吊るす代わりに月棒下面に配置した例えばフックで吊るのもよく、またカレンダーの掛け紐を月棒上面のフックに掛けるのもよく、部品相互の連結は多様な方法がある。なお、立方体日駒の稜を15ミリとするカレンダーの大略寸法は、長手が60と70センチ、短手が30センチである。なお、日駒、年駒、曜日棒と月棒の文字は各部品の表面に直接表示または文字表示材の貼り付けである。
【００１８】
また、12本の日駒柱のすべて31個にし、または1本のみは29個にし、各日駒柱を色別けし、日駒柱の配列順を毎年変える前記１A、１B、１C、１D同様のカレンダー１F（図省略）もよい。また、すべての通し紐と細棒材の第一週分に、日駒柱の曜日合わせを容易にする日毎の刻み目を印してもよい。また曜日棒を赤、黒、青で繰り返し色分けした同長の曜日紐に替えてよい。
【００１９】
また、一月（ひとつき）万年カレンダー１M（図3）もよく、水平状の四角棒の側面に左から右へ日曜から土曜まで七曜日を表示した曜日棒11の下面の各曜日に相当する位置に掛け具12を配置し、前記同様の日駒13を1、8、15、22、29の５日付数字の順に縦方向に紐14aを通した曜日駒柱14、2〜30までの７を等差とする同じ曜日駒柱、3〜31までの同様の同じ曜日駒柱、4〜25、5〜26、6〜27、7〜28の各４日付数字の曜日日駒柱14があり、まず1日のある曜日駒柱を当月の1日の曜日に当たる前記掛け具に掛け、順次七の曜日駒柱14を隙間を取って掛け具に掛け、カレンダーの日付面が形成され、さらに前記曜日棒の上面に四個の年駒１５と三個の月駒１６を配置して組み立てる。日曜と土曜に当たる曜日日駒柱の日駒を赤、青に設定する。なお、小の月では、29、30、31または30、31または31の日駒を素面に設定する。曜日棒の両端に掛け紐を掛けて壁に掛ける。日駒の素面は前記同様、特異日の表示に使う。
【００２０】
前記の七の曜日駒柱の紐は、上端部の掛け輪と日駒内の貫通部と下端に日駒の脱落止めの結びでなり、その貫通部の長さが、1〜29、4〜25、５〜26、6〜27、7〜28の曜日駒柱は略五個の長さ、2〜30、3〜31の曜日駒柱は略六個の長さであり、かつ1〜29の曜日駒柱の1日は必ず第一週の段に配置され、それ以外の曜日駒柱の上端の日駒は第一週または第二週の段に配置されるので、これらの曜日駒柱の紐の長さは一駒分長くしておき、上端の日駒が第一週の段に配置された場合、紐の下端部の一駒分の位置に前記下端留め具17を設置し、四駒ないし五駒を上方に移動させるのである。なお、曜日駒柱の設置は、曜日棒下面に、両端を直角に曲げた先端を差し込んだ日駒柱掛け棒に、掛け具の付いた曜日駒柱七つを掛けてもよい。
【００２１】
前記一月（ひとつき）万年カレンダーの曜日棒を横に略二倍に伸ばした二月（ふたつき）万年カレンダー２M（図４）もよく、側面に二の七曜日を表示する曜日棒に、一月カレンダー同様に十四の曜日駒柱を掛け具に掛け、曜日棒上面の中央部に四個の年駒を、両端部に各三個の月駒を配置して組み立てる。なお曜日棒の中央下に月分け柱を掛けまたは日駒柱相互の隙間より広めの隙間を取るのもよい。
二ヶ月目の月始めに前月となったカレンダーを翌月の日並びに、前記同様曜日駒柱を配置し直して、常にほぼ二ヶ月を表示できる使い勝手のよいカレンダーである。
さらに、この一月カレンダー12個を季節別に配置し一年の万年カレンダーもよく、二月カレンダーを六段に配置してもよい。なお、前記諸万年カレンダーは、月棒、曜日棒の両端部に紐を掛けて壁などに吊るすのがよく、日駒柱、曜日棒、曜日駒柱の吊りは前記の方法に限定されず、部材相互の他の連結方法もよい。また、前記諸万年カレンダーは、透明上面板の平板状ケースに収めてもよい。
【図面の簡単な説明】
【００２２】
【図１】日付文字と曜日文字の表示を部分的に省略した曜日棒二本の2013年の万年カレンダー１Aの平面図。
【図２】日付文字と曜日文字の表示を部分的に省略した曜日棒一本の2013年の万年カレンダー１Dの平面図。
【図３】2013年12月の日付面を表示する、一月万年カレンダー１Mの平面図。
【図４】2013年の11月、12月の日付面を表示する、二月万年カレンダー２Mの平面図。
【符号の説明】
【００２３】
１A  万年カレンダー、１D  曜日棒中央接合の万年カレンダー、
１M  一月万年カレンダー、２M  二月万年カレンダー、
２  日駒、３  日駒柱、３a  通し紐、３b  吊り輪
４  月棒、５  曜日棒、５a  紐輪、６  年駒、９  下端留め具  
１１  曜日棒、１２  掛け具、１３  日駒、１４  曜日駒柱、１４a  紐、１５  年駒
１６  月駒、１７  下端留め具、

【図１】
2015074170.tif 000003
【図２】
2015074170.tif 000004
【図３】
2015074170.tif 000005
【図４】
2015074170.tif 000006